(57)【要約】【課題】副葬品を棺に入れて火葬してもダイオキシン類が発生することがなく、副葬品を棺に入れたいという遺族の気持ちを満足させることのできる副葬品製作システムを提供する。【解決手段】本発明に係る副葬品製作システム１０は、ユーザが所望する副葬品１のイメージモデルを製作する手段２０と、該製作されたイメージモデルに基づき副葬品１を石膏素材２で造形する手段３０とを備えていることを特徴とする。【選択図】図１
2011101661.tif 000002
【特許請求の範囲】
【請求項１】
ユーザが所望する副葬品のイメージモデルを製作する手段と、
該製作されたイメージモデルに基づき前記副葬品を石膏素材で造形する手段と、
を備えていることを特徴とする副葬品製作システム。
【請求項２】
前記イメージモデルを製作する手段は、前記副葬品の３次元イメージモデルを製作する手段と、該３次元イメージモデルを複数のレイヤーに分割して一層毎に２次元イメージモデルを製作する手段とを備え、
前記副葬品を石膏素材で造形する手段は、前記各２次元イメージモデルに基づきそれぞれ実物の２次元断面層を造形する手段と、前記各２次元断面層を結合剤溶液でそれぞれ結合する手段とを備えている請求項１に記載の副葬品製作システム。
【発明の詳細な説明】
【技術分野】
【０００１】
本発明は、遺骸と共に埋葬される副葬品を製作するための副葬品製作システムに関し、特に、石膏素材から成る副葬品を製作するための副葬品製作システムに関するものである。
【背景技術】
【０００２】
従来、故人が生前に愛用した品物等を副葬品として遺骸と共に埋葬することが行われている。しかしながら、近年、ダイオキシン類による環境汚染が大きな社会問題となってきており、副葬品の中にプラスチック製品等が含まれていると、火葬時にダイオキシン類が発生するおそれがあることから、副葬品を棺に入れないよう制限されるようになってきている（例えば、非特許文献１参照）。
【先行技術文献】
【非特許文献】
【０００３】
【非特許文献１】東京都八王子市のオフィシャルサイトwww.city.hachioji.tokyo.jp/shisetsu/saijo/3445/003453.html
【発明の概要】
【発明が解決しようとする課題】
【０００４】
しかしながら、上記したように副葬品を棺内にいれないように制限すると、故人が天国で寂しい思いをしないように故人が愛用した品物等を副葬品として棺に入れ、心を尽くして弔いたいという遺族の気持ちを十分に満足させることができないといった問題があった。
【０００５】
本発明は、上記した課題を解決すべくなされたものであり、副葬品を棺に入れて火葬してもダイオキシン類等の有害ガスが発生することがなく、副葬品を棺に入れたいという遺族の気持ちを満足させることのできる副葬品製作システムを提供することを目的とするものである。
【課題を解決するための手段】
【０００６】
上記した目的を達成するため、本発明に係る副葬品製作システムは、ユーザが所望する副葬品のイメージモデルを製作する手段と、該製作されたイメージモデルに基づき前記副葬品を石膏素材で造形する手段とを備えていることを特徴とする。
【０００７】
本発明に係る副葬品製作システムにおいて、前記イメージモデルを製作する手段は、前記副葬品の３次元イメージモデルを製作する手段と、該３次元イメージモデルを複数のレイヤーに分割して一層毎に２次元イメージモデルを製作する手段とを備え、前記副葬品を石膏素材で造形する手段は、前記各２次元イメージモデルに基づきそれぞれ実物の２次元断面層を造形する手段と、前記各２次元断面層を結合剤溶液でそれぞれ結合する手段とを備えているのが好ましい。
【発明の効果】
【０００８】
本発明によれば、造形された副葬品が石膏素材製であるため、棺に入れて火葬してもダイオキシン類等の有毒ガスを一切発生することなく、環境汚染の要因となることがないと共に、燃焼時に粉末状になるため、後始末を容易に行うことができる。
【０００９】
また、副葬品を棺に入れ、心を尽くして故人を弔いたいという遺族の気持ちを十分に満足させることができる。
【００１０】
さらに、副葬品を短時間（２４時間以内）に製作することができるため、在庫を抱える必要がなく、設備投資額を最小限に抑制し、コストの節減が可能となる等、種々の優れた効果を得ることができる。
【図面の簡単な説明】
【００１１】
【図１】本発明の実施の形態に係る副葬品製作システムを示すブロック図である。
【図２】本発明の実施の形態に係る副葬品製作システムを使用して副葬品を製作する方法を示すフローチャートである。
【発明を実施するための形態】
【００１２】
以下、図面を参照しつつ、本発明の実施の形態について説明する。
【００１３】
図１は本発明の実施の形態に係る副葬品製作システムを示すブロック図であり、この副葬品製作システム１０は、ユーザが所望する副葬品１のイメージモデルを製作するイメージモデル製作部２０と、イメージモデル製作部２０によって製作されたイメージモデルに基づき副葬品１を石膏素材２で造形する造形部３０と、キーボードやマウス等の入力部４０と、ＲＯＭやＲＡＭ等のメモリ部５０と、これらの各種部位を制御する制御部６０とを備えて構成されている。
【００１４】
また、イメージモデル製作部２０は、副葬品１の３次元イメージモデルを製作する３Ｄイメージモデル製作部２１と、この３次元イメージモデルを複数のレイヤーに分割して一層毎に２次元イメージモデルを製作する２Ｄイメージモデル製作部２２とを備えて構成されている。
【００１５】
さらにまた、造形部３０は、前記各２次元イメージモデルに基づきそれぞれ実物の２次元断面層を造形する２Ｄ断面層造形部３１と、これらの各２次元断面層を着色結合剤溶液３でそれぞれ結合する２Ｄ断面層結合部３２とを備えて構成されている。
【００１６】
次に、このような構成を備えた本発明の実施の形態に係る副葬品製作システム１０を使用して副葬品１を製作する方法について説明する。ここで、図２は本実施の形態に係る副葬品製作システム１０を使用して副葬品を製作する方法を示すフローチャートである。
【００１７】
先ず、ステップ１０１に示すように、イメージモデル製作部２０の３Ｄイメージモデル製作部２１において、入力部４０から入力されたユーザが所望する副葬品１の形状や色に関するデータに基づき、副葬品１の３次元イメージモデルを製作する。
【００１８】
次いで、ステップ１０２に示すように、イメージモデル製作部２０の２Ｄイメージモデル製作部２２は、この３次元イメージモデルを複数のレイヤーに分割し、その分割した一層毎に２次元イメージモデルを製作し、各層の２次元イメージモデルをメモリ部５０に格納する。
【００１９】
次いで、ステップ１０３に示すように、造形部３０において、２Ｄ断面層造形部３１は、外部から供給された石膏素材２の粉末を延ばして粉末レイヤーを形成し、メモリ部５０から読み込んだ前記２次元イメージモデルをこの粉末レイヤー上にプリントする。その後、２Ｄ断面層造形部３１は、前記２次元イメージモデルをプリントした石膏素材２の粉末を固化し、実物の２次元断面層を形成する。以降、２Ｄ断面層造形部３１は、各層において、上記したのと同様の手順で、それぞれ実物の２次元断面層を形成する作業を繰り返し行う。
【００２０】
一方、ステップ１０４に示すように、造形部３０の２Ｄ断面層結合部３２では、外部から供給された着色結合剤溶液３を使用して、前記２Ｄ断面層造形部３１で形成された各層の実物の２次元断面層をそれぞれ結合し、ユーザが所望する形状及び色の副葬品１を製作する。
【００２１】
このように上記した副葬品製作システム１０によれば、製作された副葬品１が石膏素材製であるため、棺に入れて火葬してもダイオキシン類等の有毒ガスを一切発生することがなく、環境汚染の要因になることがない。また、副葬品１が燃焼時に粉末状になるため、後始末を容易に行うことができる。さらに、ユーザが所望する任意の形状及び色の副葬品１を簡単に製作することができるため、副葬品１を棺に入れ、心を尽くして故人を弔いたいという遺族の気持ちを十分に満足させることができる。さらに、副葬品１を短時間（例えば、２４時間以内）に製作することができるため、在庫を抱える必要がなく、設備投資額を最小限に抑制し、コストの節減を行うことができる。
【００２２】
なお、副葬品製作システム１０により製作可能な副葬品１としては、例えば、ゴルフセット、ゲートボール、野球セット、サッカー、釣りセット、サーフボード、スノーボード、スキー等のスポーツ用具や、ピアノ、アコーディオン、ギター、ベース、ウクレレ、バイオリン、チェロ、三味線、マンドリン、サックス、トランペット、クラリネット、ハーモニカ、トロンボーン、ホルン、フルート、ドラム、琴、和太鼓等の楽器や、自転車、車、モーターボート、クルーザー、ヨット等の乗り物や、時計、バック、アクセサリー、化粧品セット等のファッション用品や、ＣＤ／ＤＶＤ、アマチュア無線機、一眼レフカメラ、コンパクトデジカメ、ビデオカメラ、高級オーディオ、テレビ、ｉＰｏｄ（登録商標）、携帯電話、ノートパソコン、デスクトップパソコン、茶器、盆栽、鉄道模型等の趣味用品や、任天堂Ｗｉｉ（登録商標）、ＰＳＰ（登録商標）、ＰＳ３（登録商標）、フィギュア、ラジコン、ぬいぐるみ等の玩具類等、各種形状及び色のものが含まれる。
【符号の説明】
【００２３】
１          副葬品
２          石膏素材
３          着色結合剤溶液
１０        副葬品製作システム
２０        イメージモデル製作部
２１        ３Ｄイメージモデル製作部
２２        ２Ｄイメージモデル製作部
３０        造形部
３１        ２Ｄ断面層造形部
３２        ２Ｄ断面結合部
【図１】
2011101661.tif 000003
【図２】
2011101661.tif 000004